(57)【要約】  本発明は、ユーザの利便性を向上させるための自動引き出し手段と切断手段とを備えるだけではなく、両面粘着テープを使用する際の効率を向上させるための案内手段を備える両面粘着テープディスペンサに関する。本発明の両面テープディスペンサは、その中に粘着テープ（２０）を収容するための容器（１０ａ）を有するケース本体（１０）と、カバー（１２）と、接続手段（３００）と、係止手段（６００）と、ケース本体（１０）の開口部（１４）から突き出た引き金（１５）、及び粘着テープ（２０）の下面に接触して粘着テープ（２０）を引き出すための一対のドラム（１６）を含む引き出し手段（５０）と、操作ボタン（３１）、レバー（３２）、及び粘着テープ（２０）を切断するためのカッタ（３０）を含む切断手段（５００）と、ケース本体（１０）内の粘着テープ（２０）の引き出しを案内するための案内手段（１００）とを備える。【選択図】  図４
2007532446.tif 000002
【特許請求の範囲】
【請求項１】
銃形状であって、開口した上面及び粘着テープ（２０）を収納するための容器（１０ａ）を有するケース本体（１０）と、
該ケース本体（１０）の上方に設けられたカバー（１２）と、
該カバー（１２）の下端及び前記ケース本体（１０）の上端に連結するための連結手段（３００）と、
前記カバー（１２）が前記ケース本体（１０）から外れることを防ぐための係止手段（６００）と、
前記ケース本体（１０）の開口部（１４）から突き出た引き金（１５）、該引き金（１５）を指で引くことによって回転し、前記粘着テープ（２０）の下面に接着して該粘着テープ（２０）を引き出すための一対のドラム（１６）とを含む引き出し手段（５０）と、
前記カバー（１２）の表面に取り付けられた操作ボタン（３１）、該操作ボタン（３１）を動かすことにより操作され、弾性部材（４００）に連結しているレバー（３２）、及び該レバー（３２）の前端に設けられ、前記引き出し手段（５０）によって引き出された前記粘着テープ（２０）を切断するための刃（３３）を有するカッタ（３０）を含む切断手段（５００）と、
前記ドラム（１６）の上方に設けられ、前記粘着テープ（２０）の上面に接触し、前記ケース本体（１０）内の前記粘着テープ（２０）の引き出しを案内するための案内手段（１００）と
を備えることを特徴とする両面粘着テープディスペンサ。
【請求項２】
請求項１記載の両面粘着テープディスペンサにおいて、
前記連結手段（３００）は、前記ケース本体（１０）の前記開口した上面の内縁に沿って設けられた突出部（１０ｂ）を備えるとともに、該突出部１０ｂに嵌合する位置で前記カバー（１２）の下縁に沿って設けられた入口溝１０ｃと保持溝１０ｄとを備えることを特徴とする両面粘着テープディスペンサ。
【請求項３】
請求項１記載の両面粘着テープディスペンサにおいて、
前記係止手段（６００）は、
前記カバー（１２）上に形成された案内孔（１０ｇ）内で移動可能なボタン（１０ｊ）、該ボタン（１０ｊ）とともに一体的に形成された係止片（１０ｉ）、及びその中で該係止片（１０ｉ）が移動することができ、前記カバー（１２）の内側の端と案内部（１８）との間に形成された隙間（１０ｈ）を備え、
該案内部（１８）は、前記カバー（１２）の内側の下面に前記カバー（１２）と一体的に形成されていること
を特徴とする両面粘着テープディスペンサ。
【請求項４】
請求項１記載の両面粘着テープディスペンサにおいて、
前記切断手段（５００）は、
前記カバー（１２）の外部表面に設けられ、その下面に複数の突起を有する操作ボタン（３１）と、
該操作ボタン（３１）の該突起の間に緩く嵌合される突起部（７５）を有するとともに、口（７４）を有する可動ラッチ（７３）と、
該口（７４）に挿入されるための吊り下げ部（３６）、回転軸となるヒンジピン（９５）、下面に形成された嵌合溝（３２ａ）、及び該吊り下げ部（３６）の反対方向に一端が突き出た支柱（８０）を含むレバー（３２）と、
該支柱（８０）が嵌入され、前記レバー（３２）により上下に移動可能である複数の孔（８１）を有するカッタ（３０）と、
前記粘着テープ（２０）を押して支持するとともに、クリップの形に一体的に延びていて、該クリップに嵌合した該カッタ（３０）を上下に動かす案内片３５を有する押圧部（３４）と、
該押圧部（３４）が掛かる連結爪（３２ｃ）、前記嵌合溝（３２ａ）に連結する嵌合爪（３２ｆ）、及び、薄いパネルの形に形成され、前記レバー（３２）の上面を弾性的に押圧し支持するための支持延長部（３２ａ）を含む弾性部材（４００）と
を備えることを特徴とする両面粘着テープディスペンサ。
【請求項５】
請求項１記載の両面粘着テープディスペンサにおいて、
前記案内手段（１００）は、
前記レバー３２の下方に所定の間隔をとって設けられた一対の案内ローラ（１１０）と、前記粘着テープの上面に接触する位置を配慮して該案内ローラ（１１０）に設けられたベルト（１２０）と
を備えることを特徴とする両面粘着テープディスペンサ。
【請求項６】
請求項５記載の両面粘着テープディスペンサにおいて、
放出ローラ（１４０）が前記案内ローラ（１１０）の前面に設けられ、更に、
案内パネル（２００）が前記ベルト（１２０）の下部の上に設けられている
ことを特徴とする両面粘着テープディスペンサ。
【発明の詳細な説明】
【技術分野】
【０００１】
本発明は、両面粘着テープディスペンサ、詳細には、ユーザの利便性を向上させるための自動引き出し手段と切断手段とを備えるだけではなく、両面粘着テープを使用する際の効率を向上させるための案内手段も備える両面粘着テープディスペンサに関するものである。
【背景技術】
【０００２】
一般に、片面または両面に粘着剤が塗布されたテープは、紙または他の物を一緒に貼り付けるために使用される。前記テープは、ロールに巻かれて、ケース内に収容されている。
【０００３】
粘着テープ用ケースは、通常、アクリルのような透明な合成樹脂材により形成されているので、ユーザはケースの中の粘着テープをいつでも見ることができる。
【０００４】
従来の粘着テープ用ケースは、片側に開口部を有する、丸みを帯びた樽型に形成され、その中心に円筒状の軸を有しているので、前記ロールに巻かれた粘着テープが前記円筒状の軸に嵌合し、前記軸を中心として自由に回転することができる。
【０００５】
前記ケースの開口部は、通常、紙製の蓋で覆われている。
【０００６】
前記粘着テープ用ケースは、一端に出口を有し、該出口から粘着テープの先端が引き出される。前記出口には、前記粘着テープの先端を付着させるための固定部が設けられている。前記固定部の正面には、複数の鋭利な歯を有する切断手段が一列に設けられている。
【０００７】
このような従来の粘着用テープケースに収容される粘着テープを使用するとき、ユーザは、まず該粘着テープの先端を片手で把持する。次に、ユーザは、前記固定部から前記粘着テープの先端を取り外し、所定の長さの粘着テープが引き出されるまで必要な長さだけ前記粘着テープの先端を引っ張り、前記切断手段によって切断する。これらの手続きは、すべて手動で行われ、不便である。また、ユーザの指で前記粘着テープを把持し、取り外すのは、衛生的ではない。
【０００８】
ユーザの利便性を向上させるために、本発明者は、特許文献１及び２に記載された粘着テープディスペンサを提案した。下記特許文献１及び２に記載された粘着テープディスペンサは自動引き出し手段を備え、該自動引き出し手段は、人の指が前記粘着テープに触れることなく、銃の引き金のように使用することができる。また、前記粘着テープディスペンサは切断手段を備え、該切断手段は、操作ボタンを押すだけで使用することができるとともに、前記粘着テープをきれいに切断することができる。
【０００９】
具体的には、発明者による粘着テープディスペンサは、銃型のケース本体と、着脱可能なカバーと、該ケース本体のある部分から突き出た引き金、及び、該引き金に応じて回転する一対のドラムを含む引き出し手段と、前記ケース本体の表面に取り付けられた操作ボタン、該操作ボタンに連動して作動するレバー、及び、該レバーの前部に設けられたカッタを含む切断手段とを備える。
【００１０】
上記粘着テープディスペンサにおいて、指を前記引き金に掛け、該引き金を１回又は数回引くことにより、前記粘着テープは、手で触れたり引っ張ったりすることなく、必要な長さだけ前記ケース本体から引き出される。さらに、前記ケース本体の表面に取り付けられた前記操作ボタンを引くことにより、所望の長さの粘着テープがきれいに切断される。
【特許文献１】韓国特許出願１９９９−３５１３６号
【特許文献２】韓国特許第３５５５４８号
【発明の開示】
【発明が解決しようとする課題】
【００１１】
前記粘着テープを使い果たし、新しい粘着テープに取り替える必要があるときに、前記カバーを前記ケース本体から取り外す必要があるとともに、使用済みの粘着テープに代えて新しい粘着テープを前記ケース本体に取り付ける必要がある。しかしながら、前記切断手段と前記引き出し手段とが１つのケース本体中に設けられているので、前記ケース本体内の粘着テープを取り替える機構は比較的複雑であり、ユーザが新しい粘着テープをケース本体内に取り付けるのは容易でなかった。
【００１２】
すなわち、新しい粘着テープを前記ケース本体に取り付けた後に、それを引き出して使用するためには、前記粘着テープは前記切断手段と前記引き出し手段との間にうまく収納されている必要がある。しかしながら、前記切断手段と前記引き出し手段との間には空間がほとんどないので、その空間に前記粘着テープを収納するのは容易でなかった。
【００１３】
また、前記引き出し手段によって引き出された前記粘着テープを、前記切断手段を用いて切断する機構は複雑であるので、製造費が高くなり、製造効率が低下した。さらに、このようなテープディスペンサで両面粘着テープが使用されるときには、該両面粘着テープは両面に粘着剤が塗布されているので、前記切断手段と前記引き出し手段との間に該両面粘着テープを取り付けるのは、従来の片面粘着テープよりも非常に困難であった。
【課題を解決するための手段】
【００１４】
従来の粘着テープディスペンサの不利な点を解決するために、本発明は、その中に切断手段を含むとともに、連結手段によってケース本体に連結されるように該ケース本体から分離して設けられたカバーを備える改良した粘着テープディスペンサを提供するものであり、これにより、ユーザは、使用済みの粘着テープを新しい粘着テープに容易に取り替えることができる。
【００１５】
さらに、本発明は、両面粘着テープの取り付けと供給とを容易にし、ユーザの利便性を高める案内手段を備える両面粘着テープ用のディスペンサを提供する。
【００１６】
さらに、本発明は、片面粘着テープと両面粘着テープの両方に使用することができるので、効率的で経済的である。
【効果】
【００１７】
本発明によれば、前記粘着テープディスペンサの前記ケース本体と前記カバーとが、離れて設けられ、連結手段によって連結させることができるので、前記粘着テープディスペンサの組立及び分解の効率を向上させることができる。
【００１８】
さらに、本発明によれば、前記切断手段が前記カバーの中に存在するので、ユーザは使用済みの粘着テープを新しい粘着テープに容易に取り替えることができる。
【００１９】
さらに、本発明によれば、前記切断手段は、容易に組み立てられるとともに該切断手段の操作を容易にする弾性部材を含むので、製品の信頼性を向上させることができる。
【００２０】
さらに、本発明によれば、片面粘着テープだけではなく両面粘着テープも、案内手段によって円滑に供給することができるとともに、容易にそして簡易に交換することができる。
【００２１】
さらに、本発明のテープディスペンサの部品は個々に形成され、簡単に組み立てることができるので、製造効率を向上させることができる。
【発明を実施するための最良の形態】
【００２２】
添付図面を参照して本発明の好ましい実施形態について詳細に説明する。本発明によれば、両面粘着テープディスペンサは、銃形状であって、開口した上面及び粘着テープ２０を収納するための容器１０ａを有するケース本体１０と、ケース本体１０の上方に設けられたカバー１２と、カバー１２の下端及びケース本体１０の上端を連結するための連結手段３００と、カバー１２がケース本体１０から外れるのを防ぐための係止手段６００と、ケース本体１０の開口部１４から突き出た引き金１５、及び引き金１５を指で引くことにより回転し、粘着テープ２０の下面に接触して粘着テープ２０を引き出すための一対のドラム１６を含む引き出し手段５０と、カバー１２の表面に取り付けられた操作ボタン３１、操作ボタン３１を動かすことによって操作され、弾性部材４００に連結しているレバー３２、及びレバー３２の前端に取り付けられ、引き出し手段５０によって引き出された粘着テープ２０を切断するための刃３３を有するカッタ３０を含む切断手段５００と、ドラム１６の上方に設けられ、粘着テープ２０の上面に接触し、ケース本体１０内の粘着テープ２０の引き出しを案内するための案内手段１００とを備える。
【００２３】
本発明によれば、ケース本体１０及びカバー１２は、連結手段３００によって簡単に連結したり連結を外したりすることができるので、ユーザは粘着テープを容易にそして便利に交換することができる。
【００２４】
さらに、案内手段１００が粘着テープ２０の上面に接触し、粘着テープ２０の引き出しを案内するので、両面粘着テープを、片面粘着テープと同様に、効果的にそして便利に引き出し、切断することができる。
【００２５】
以下、詳細に説明する。
【００２６】
図１は、カバー１２がケース本体１０から取り外された状態の本実施形態の粘着テープディスペンサを示す分解斜視図である。
【００２７】
図２は粘着テープディスペンサに設けられた切断手段５００を示す図であり、図３は切断手段５００の分解斜視図である。
【００２８】
図４はカバー１２がケース本体１０に連結されようとする工程を示す図であり、図５はカバー１２がケース本体１０に係止される前の状態を示す図である。
【００２９】
図６はカバー１２がケース本体１０に係止されている状態を示す図であり、図７は切断手段５００が操作される前の状態を示す図である。
【００３０】
図８は、粘着テープ２０が切断手段５００によって切断されるときの粘着テープディスペンサを示す図である。
【００３１】
図９は、両面粘着テープ２０が引き出し手段５０によって引き出されている状態を示す図である。
【００３２】
図１に示すように、ケース本体１０は、一般に銃の形をしていて、開口した上面と、粘着テープ２０を受け入れるための中空の容器１０ａとを有している。
【００３３】
容器１０ａ内には、引き出し手段５０と、ロールに巻かれた粘着テープ２０が設けられている。
【００３４】
粘着テープ２０は、穿孔された中心部を有するボビンに巻き付けられていて、保持手段１３はその中心部を貫通し、粘着テープ２０は容器１０ａ内で回転する。
【００３５】
カバー１２は、容器１０ａを覆うようにケース本体１０の上方に設けられ、連結手段３００によってケース本体１０に連結している。
【００３６】
図１及び図４〜６に示すように、連結手段３００は、ケース本体１０の開口した上面の内縁に沿って設けられた突出部１０ｂを備えるとともに、突出部１０ｂに嵌合する位置でカバー１２の下縁に沿って設けられた入口溝１０ｃと保持溝１０ｄとを備える。
【００３７】
係止手段６００は、カバー１２の後部に設けられており、カバー１２とケース本体１０とを係止する、又はカバー１２をケース本体１０から外すようになっている。
【００３８】
カバー１２がケース本体１０に連結されるとき、カバー１２の入口溝１０ｃはケース本体１０の突出部１０ｂと同一直線上に配置され、カバー１２は突出部１０ｂが保持溝１０ｄに嵌合するまで図４〜６の左方に押されて動かされる。
【００３９】
一方、カバー１２がケース本体１０から外されるとき、カバー１２は図の右方に引かれて動かされ、突出部１０ｂは保持溝１０ｄから外され、入口溝１０ｃを通って外される。
【００４０】
係止手段６００は、外部環境からのわずかな振動や衝撃の繰り返しに関係なく、カバー１２とケース本体１０を係止する。
【００４１】
係止手段６００は、カバー１２上に形成された案内孔１０ｇ内で移動可能なボタン１０ｊと、ボタン１０ｊに一体的に形成された係止片１０ｉとを備える。
【００４２】
その中で係止片１０ｉが動くことのできる隙間１０ｈは、カバー１２の内側の端と案内部１８との間に形成されている。案内部１８は、カバー１２の内側の下面に一体的に形成されていて、粘着テープ２０の移動を案内する。
【００４３】
したがって、ボタン１０ｊが係止片１０ｉとともに図６の右下方向に移動するとき、数係止片１０ｉの一端は隙間１０ｈに嵌合する。これにより、カバー１２の前後の動きは抑制される。
【００４４】
係止片１０ｉは、カバー１２の内側表面に一体的に形成された弾性突起部１０ｋを有していて、係止片１０ｉが外部の力または衝撃によって動くことを防いでいる。
【００４５】
さらに、連結手段３００が外れるとき、図６とは対照的に図５に示すように、係止手段６００のボタン１０ｊは上に移動して係止が外れる。そして、カバー１２はケース本体１０上で摺動し、ケース本体１０から外れる。
【００４６】
カバー１２がケース本体１０から分離しているとき、粘着テープ２０を新しい粘着テープに取り替えることができる。
【００４７】
一方、引き金１５は、ケース本体１０に形成された開口部１４から出ていて、ユーザの指で引き金１５を引くと引き出し手段５０が動かされる。
【００４８】
引き出し手段５０は、引き金１５を引くことによって回転する一対のドラム１６を備える。ドラム１６は、下面又は両面には粘着剤が塗布されている粘着テープ２０の下面に接触して回転し、この結果、粘着テープ２０が引き出される。
【００４９】
引き出し手段５０は、保持手段１３の正面に設けられていて、保持手段１３には粘着テープ２０が取り付けられている。
【００５０】
引き金１５は、押しラッチ５１を備えるとともに、軸ピン５２を軸にして回転することができる。押しラッチ５１は、第２のバネ６１によって弾性的に支持され、その結果、押しラッチ５１の一端は、ドラム１６の内縁に沿って直列に形成された複数のラッチ１７の一方の側に傾く。
【００５１】
支持部５３が、引き金１５とともに軸ピン５２に設けられている。この支持部５３は、支持体の両端がケース本体１０に取り付けられるまで、ドラム１６全体を通って延びている。
【００５２】
支持部５３の上端には、粘着テープ２０の粘着面に接触する引き出しローラ５６が空回りするように回転自在に設けられている。引き出しローラ５６の後方には、支持ラッチ５７が押しラッチ５１に対向するように回転可能に設けられている。引き金１５は、第１のバネ６０によって支持部５３に弾性的に取り付けられていて、第１のバネ６０は軸ピン５２に嵌合している。
【００５３】
案内ロッド５８は、ドラム１６と保持手段１３との間の位置に設けられていることが望ましく、その結果、粘着テープ２０の粘着面はドラム１６の外部表面に円滑に接触することができる。
【００５４】
さらに、張り出した案内部５９は、案内ロッド５８の下方に設けられ、ほどかれて直径が小さくなっていく粘着テープ２０を案内するようになっている。
【００５５】
第２のバネ６１は、引き金１５の上側に形成された第１の爪１５ａと、支持部５３の下側に形成された第２の爪５３ａとに伸縮自在に掛けられる。
【００５６】
第１のバネ６０は、押しラッチ５１に形成された第３の爪５１ａと、支持ラッチ５７の下面に形成された第４の爪５３ｂとに伸縮自在に掛けられる。
【００５７】
したがって、引き金１５が操作される間、押しラッチ５１によってドラム１６のがたつきを防ぐことができる。支持ラッチ５７は、粘着テープ２０が引き出される間空転しているドラム１６のラッチ１７に係合し、粘着テープ２０の引き出しが停止するとドラム１６のがたつきを防止する。
【００５８】
押しラッチ５１及び支持ラッチ５７は、ドラム１６間を所定の幅に保った状態で、対になって設けられ、その結果、押しラッチ５１及び支持ラッチ５７はラッチ１７に連動して制御される。
【００５９】
押しラッチ５１及び支持ラッチ５７は複数のラッチ１７に接触していて、各ラッチ１７は傾斜した調整面５０ｂを有している。
【００６０】
ドラム１６は、軸ピン５２の両端に回転可能に設けられている。ドラム１６には、ドラム１６の内周面に沿って設けられたラッチ１７と、ドラム１６の外周面に沿って設けられた帯状の溝１９ａとが設けられている。さらに、一対の補助ローラ１９が軸７０の両端に軸方向に設けられ、軸７０は間隔保持手段７１によってドラム１６から所定の距離に保持されている。軸７０とドラム１６とがベルト７２によって連結すると、ドラム１６の回転が補助ローラ１９を回転させる。
【００６１】
補助ローラ１９は、歯車形状の外部表面を有するように形成され、粘着テープ２０の粘着面への接触域が最小化されていることが好ましい。このように構成される補助ローラでは、粘着テープ２０を円滑に引き出すことができる。
【００６２】
外周面が円ではなく歯車形状となっている補助ローラ１９は、粘着テープ２０に対して面接触ではなく線接触することができ、その結果、粘着テープ２０を円滑に引き出すことができる。
【００６３】
さらに、切断手段５００は、カバー１２に設けられていて、引き出し手段５０を通って引き出された粘着テープ２０を切断するようになっている。
【００６４】
切断手段５００は、カバー１２の外部表面に設けられ、その上に複数の突起を有する操作ボタン３１と、操作ボタン３１の突起の間に緩く嵌合する突起部を有するとともに、口７４を有する可動ラッチ７３と、口７４に挿入される吊り下げ部３６、レバー６２を軸方向に回転させるヒンジピン９５、下面に形成された複数の嵌合溝３２ａ、及び、一端が吊り下げ部３６の反対側に突き出た複数の支柱８０を含むレバー３２と、そこに複数の支柱８０が嵌入され、支柱８０がレバー３２によって上下に移動可能となる複数の孔８１を有するカッタ３０と、粘着テープ２０を押して支持するとともに、クリップの形に一体的に延びていて、クリップに嵌合したカッタ３０を上下に動かす案内片３５を有する押圧部３４と、そこに押圧部３４が係合する連結爪３２ｃ、複数の嵌合溝３２ａに連結する複数の嵌合爪３２ｆ、及び、薄いパネルの形に形成され、弾性的にレバーの上面を押したり支持したりするための支持延長部３２ｅを含む弾性部材４００とを備える。
【００６５】
切断手段５００の操作は、操作ボタン３１を引くことによって始められ、操作ボタン３１は、順番に可動ラッチ７３、レバー３２を動かし、カッタ３０を下方に動かして粘着テープ２０を切り離す。
【００６６】
レバー３２は、その上面を弾性部材４００によって支持され、レバー３２の中央部分に設けられたヒンジピン９５を支点として回転する。レバー３２の両端は、可動ラッチ７３に連動して上下に動く。
【００６７】
可動ラッチ７３は、第３のバネ６４によって弾性的に支持され、カバー１２内に回動可能に設けられている。
【００６８】
可動ラッチ７３は、操作ボタン３１の下面にある突起の間に挿入される突起部７５を含み、操作ボタン３１を摺動させることによって動く。
【００６９】
上述及び図示のように、レバー３２は、カッタ８０の孔８１に嵌合するように、一端が突出した２つの支柱８０を有する。
【００７０】
カッタ３０は、押圧部３４と案内片３５との間に形成された隙間に挿入される。押圧部３４の上端は、弾性部材４００の一端に形成された連結爪３２ｃに接触する。
【００７１】
レバー３２は、下面の両端に形成された嵌合溝３２ａを有し、弾性部材４００の嵌合爪３２ｆに連結するようになっている。薄いパネルの形に形成され、十分な弾性を有する支持延長部３２ｅは、レバー３２を押圧し、支持する。
【００７２】
押圧部３４は、切断刃３３が粘着テープ２０に接触する前に、粘着テープ２０に近づき、粘着テープ２０を押さえて固定するので、カッタ３０はより安定してより精度よく切断することができる。
【００７３】
粘着テープ２０が所望の長さだけ引き出されているとき、操作ボタン３１は引っ張られ、突出部７５で可動ラッチ７３を回転させ、それにより、ヒンジピン９５の軸の周りにレバー３２を回動させて上昇させる。
【００７４】
レバー３２は口７４に挿入される吊り下げ部３６を有し、口７４は可動ラッチ７３の中で“⊃”字形に形成されている。
【００７５】
したがって、操作ボタン３１を引くことにより、切断機構は開始され、それにより可動ラッチ７３はレバー３２を上昇させる。
【００７６】
レバー３２が上下に動くにつれて、弾性部材４００は動く。次に、連結爪３２ｃに掛かっている押圧部３４は、カッタ３０とともに下降し、粘着テープ２０上で停止する。
【００７７】
次に、操作ボタン３１がさらに引かれると、レバー３２の回転はさらに継続し、支柱８０によりレバー３２に連結しているカッタ３０は下降し、粘着テープ２０を切断する。
【００７８】
一方、操作ボタン３１は元の位置に戻るとき、第３のバネ６４は、可動ラッチ７３とレバー３２とを元の位置に戻そうと弾力性を増し、カッタ３０は上昇する。かくして粘着テープ２０を本発明のテープディスペンサの一端に付随させている。
【００７９】
カッタ３０は、図３に示すように、対称な構造を有する一対の切断片を備えるようにしてもよい。
【００８０】
具体的には、切断片は中心対称軸を有し、各切断片は三角形の切断刃３３を有し、粘着テープ２０を迅速かつ精度よく切断する。
【００８１】
カバー１２の角部９３は、カバー１２の前端部を滑らかにカーブさせることにより形成されている。
【００８２】
角部９３のちょうど内側には、切断手段５００が設けられている。
【００８３】
一方、図８に示すように、粘着テープ２０が引き出されるときに粘着テープ２０の引っ張りを維持するための吊り下げ防止用舌部１１が、放出部９０に設けられることが望ましい。
【００８４】
吊り下げ防止用舌部１１は、粘着テープ２０の引き出し方向に設けられているので、粘着テープ２０は垂れ下がらずに、常にまっすぐに引き出される。
【００８５】
さらに、カッタ３０の表面に付着する粘着テープ２０の粘着剤を取り除くための除去手段４０が、引き出し手段５０の前面に設けられることが望ましい。
【００８６】
除去手段４０は、支持部５３に形成された係止爪５３ｃ上に設けられていて、所定の容積を有する貯蔵器４２及び蓋４３を有するオイルタンク４１を備える。蓋４３は貯蔵器４２を部分的に覆うようにオイルタンク４１の上部を一体的にカーブされることにより形成されている。
【００８７】
カッタ３０が操作ボタン３１の操作により下降するとき、粘着テープ２０の下面または両面に塗布された粘着剤がカッタ３０の切断片の切断刃３３に付着し、カッタ３０の切断効率が低下することがある。したがって、除去手段４０は、この種の望まれていない状況を防ぐことができる。
【００８８】
除去手段４０を備える本発明の形態では、カッタ３０は、粘着テープ２０を切断した後にオイルタンク４１の中に入る。このとき、カッタ３０はオイルと接触する。したがって、カッタ３０の切断強度力の低下を防ぐことができる。
【００８９】
オイルタンク４１に入れられるオイルは、シリコン油が好ましい。
【００９０】
さらに、オイルタンク４１は、シリコン材で形成されていることが好ましく、これにより、オイルタンク４１は蓋４３を形成するために容易に湾曲させられることができる。蓋４３は、まず、カッタ３０の使用中に発生することがあるオイルの漏れを防止する。さらに、オイルの漏れを防ぐために、綿４４の詰め物がオイルタンク４１内に設けられていてもよい。
【００９１】
上記の構造を有する本発明の粘着テープディスペンサは、ユーザの片手で把持され、ユーザの一本の指が引き金１５に掛けられる。ユーザの指により引き金１５が１回又は数回引かれるとき、手で粘着テープ２０を直接引き出すことなく、粘着テープディスペンサ内で巻かれた粘着テープ２０は所望の長さだけ引き出される。
【００９２】
次に、操作ボタン３１が指で引かれるとき、カッタ３０は、下降して、粘着テープディスペンサの外側に引き出された粘着テープ２０を切り離す。カッタ３０の切断力は、長時間の繰り返し使用に関係なく低下しない。
【００９３】
本発明の特徴的な事項は、粘着テープ２０の上面に接触し、円滑に引き出されるように粘着テープ２０を案内するための案内手段１００がドラム１６の上方に設けられていることである。
【００９４】
図６に示すように、案内手段１００は、レバー３２の下方に所定の間隔をとって設けられた一対の案内ローラ１１０と、粘着テープ２０の上面に接触する位置を配慮して案内ローラ１１０に取り付けられたベルト１２０とを備える。
【００９５】
案内ローラ１１０は、ケース本体１０内で自由に回転するように軸方向に取り付けられ、ベルト１２０は互いに連結するように案内ローラ１１０に巻き付いている。
【００９６】
したがって、粘着テープ２０が引き出し手段５０の外周面に接触して回転するときに、粘着テープ２０の上面は、一対の案内ローラ１１０とベルト１２０とに接触して移動するように案内される。
【００９７】
粘着テープ２０の下面は、ドラム１６に設けられたベルト７２に接触するように移動する。
【００９８】
上述のように、粘着テープ２０は、案内ローラ１１０とベルト１２０を備える案内手段１００にその上面を接触させながら、前方に移動する。
【００９９】
図９に示すように、案内ローラ１１０は、ベルト１２０を中心としてその両側に対称的に設けられている。各案内ローラ１１０は、傾斜面１３０を形成するように凸状の中央部と平坦な両端部とを有することが好ましい。
【０１００】
傾斜面１３０は、案内ローラ１１０に形成され、粘着テープ２０との接着面積を減らすとともに、粘着テープ２０が案内ローラ１１０から取り外されるときの抵抗を減らすようになっている。
【０１０１】
案内パネル２００が、ベルト１２０を円滑に操作するための案内ローラ１１０の間にさらに設けられていてもよく、案内パネル２００はベルト１２０の下部のちょうど上に設けられるのが望ましい。
【０１０２】
すなわち、図２に示すように、案内パネル２００は、取り付け溝２１０に設けられ、ベルト１２０の下部に固定され、したがって、ベルト１２０は円滑に案内されることができる。
【０１０３】
さらに、放出ローラ１４０が、ベルト７２，１２０によって前方に移動する粘着テープ２０を円滑に引き出すために、案内ローラ１１０の前部に設けられることにしてもよい。
【０１０４】
放出ローラ１４０は、粘着材が両面に塗布され、案内手段１００と引き出し手段５０とを通って前方に移動している粘着テープ２０を、前方により円滑に引き出すように案内する。
【０１０５】
さらに、案内ロッド５８は、粘着テープ２０の適度な張力を維持した状態で、粘着テープ２０の移動をより円滑に案内するために、案内ローラ１１０の後方に設けられる。
【０１０６】
案内ロッド５８は、ケース本体１０中の粘着テープ２０を自由に回転させるように、任意の位置に設けられてもよい。
【図面の簡単な説明】
【０１０７】
【図１】カバーがケース本体から取り外された状態の本実施形態の粘着テープディスペンサを示す分解斜視図。
【図２】本実施形態の粘着テープディスペンサに取り付けられる切断手段を示す部分分解斜視図。
【図３】本実施形態の粘着テープディスペンサの切断手段を示す分解斜視図。
【図４】本実施形態の粘着テープディスペンサのカバーがケース本体に連結されようとする工程を示す正面断面図。
【図５】本実施形態の粘着テープディスペンサのカバーがケース本体に係止される前の状態を示す正面断面図。
【図６】本実施形態の粘着テープディスペンサのカバーがケース本体に係止されている状態を示す正面断面図。
【図７】切断手段が操作される前の本実施形態の粘着テープディスペンサを示す部分断面図。
【図８】粘着テープが切断手段によって切断されるときの本実施形態の粘着テープディスペンサを示す図。
【図９】両面粘着テープが引き出し手段によって引き出されている状態を示す部分側面断面図。
【符号の説明】
【０１０８】
１０…ケース本体、１０ａ…容器、１２…カバー、１４…開口部、１５…引き金、１６…ドラム、２０…粘着テープ、３０…カッタ、３１…操作ボタン、３２…レバー、５０…引き出し手段、１００…案内手段、３００…連結手段、５００…切断手段、６００…係止手段。
【図１】
2007532446.tif 000003
【図２】
2007532446.tif 000004
【図３】
2007532446.tif 000005
【図４】
2007532446.tif 000006
【図５】
2007532446.tif 000007
【図６】
2007532446.tif 000008
【図７】
2007532446.tif 000009
【図８】
2007532446.tif 000010
【図９】
2007532446.tif 000011
【国際調査報告】
2007532446.tif 000012
2007532446.tif 000013